(57)【要約】      （修正有）【課題】複数の無線通信素子を統合した多機能通信モジュールを提供する。【解決手段】多機能通信モジュール２０は、基板２０１と、基板に設けられる複数の無線通信素子２０３と、複数の無線通信素子にそれぞれ電気的に接続され、複数の無線通信素子の無線信号を伝送する複数のアンテナ２０５と、一側が複数の無線通信素子に接続され、複数の無線通信素子の発熱を放散する導熱素子２０７とを含む。【選択図】図３
0003160159.tif 000002
【実用新案登録請求の範囲】
【請求項１】
複数の無線通信素子を統合した多機能通信モジュールであって、
基板と、
前記基板に設けられる複数の無線通信素子と、
前記複数の無線通信素子にそれぞれ電気的に接続され、前記複数の無線通信素子の無線信号を伝送する複数のアンテナと、
一側が前記複数の無線通信素子に接続され、前記複数の無線通信素子の発熱を放散する導熱素子とを含む、多機能通信モジュール。
【請求項２】
前記多機能通信モジュールは更に、
前記複数の無線通信素子に電気的に接続されるコネクタと、
一端が前記コネクタに電気的に接続され、前記複数の無線通信素子の信号を伝送する接続ケーブルとを含む、請求項１に記載の多機能通信モジュール。
【請求項３】
前記多機能通信モジュールは更に、
それぞれ前記複数の無線通信素子と前記コネクタに電気的に接続され、前記複数の無線通信素子のオン／オフを制御する複数の制御スイッチを含む、請求項２に記載の多機能通信モジュール。
【請求項４】
前記制御スイッチは低ドロップアウト電圧レギュレータである、請求項３に記載の多機能通信モジュール。
【請求項５】
前記導熱素子は、前記複数の無線通信素子にそれぞれ接続され、前記複数の無線通信素子の発熱をそれぞれ放散する複数の分離した部材である、請求項１に記載の多機能通信モジュール。
【請求項６】
前記導熱素子は金属材料からなる、請求項１に記載の多機能通信モジュール。
【請求項７】
前記導熱素子はアルミニウムホイルである、請求項６に記載の多機能通信モジュール。
【請求項８】
前記導熱素子は金属塗布層である、請求項６に記載の多機能通信モジュール。
【請求項９】
前記導熱素子は更に、前記複数のアンテナによる無線信号間の電磁妨害を防止する、請求項６に記載の多機能通信モジュール。
【請求項１０】
多機能通信機能を有する電子装置であって、
マザーボードを含む本体と、
前記本体に接続され、画像データを表示する表示スクリーンと、
前記表示スクリーン内に設けられる多機能通信モジュールとを含み、
前記多機能通信モジュールは、
基板と、
前記基板に設けられる複数の無線通信素子と、
前記複数の無線通信素子にそれぞれ電気的に接続され、前記複数の無線通信素子の無線信号を伝送する複数のアンテナと、
一側が前記複数の無線通信素子に接続され、前記複数の無線通信素子の発熱を放散する導熱素子とを含む、電子装置。
【請求項１１】
前記表示スクリーンは、
筐体と、
前記筐体の内側に設けられ、画像データを表示する表示パネルと、
前記筐体と前記表示パネルの間にもうけられ、前記表示パネルの発熱を放散する放熱片とを含む、請求項１０に記載の電子装置。
【請求項１２】
前記放熱片は前記多機能通信モジュールの前記導熱素子の他側に接続され、前記複数の無線通信素子の発熱を前記導熱素子を通して前記放熱片に伝導する、請求項１１に記載の電子装置。
【請求項１３】
前記放熱片は金属材料からなる、請求項１１に記載の電子装置。
【請求項１４】
前記多機能通信モジュールは更に、
前記複数の無線通信素子に電気的に接続されるコネクタと、
一端が前記コネクタに電気的に接続され、他端が前記マザーボードに接続され、前記複数の無線通信素子と前記マザーボードの間で信号を伝送する接続ケーブルとを含む、請求項１０に記載の電子装置。
【請求項１５】
前記多機能通信モジュールは更に、
それぞれ前記複数の無線通信素子と前記コネクタに電気的に接続され、前記複数の無線通信素子のオン／オフを制御する複数の制御スイッチを含む、請求項１０に記載の電子装置。
【請求項１６】
前記制御スイッチは低ドロップアウト電圧レギュレータである、請求項１５に記載の電子装置。
【請求項１７】
前記導熱素子は、前記複数の無線通信素子にそれぞれ接続され、前記複数の無線通信素子の発熱をそれぞれ放散する複数の分離した部材である、請求項１０に記載の電子装置。
【請求項１８】
前記導熱素子は金属材料からなる、請求項１０に記載の電子装置。
【請求項１９】
前記導熱素子はアルミニウムホイルである、請求項１８に記載の電子装置。
【請求項２０】
前記導熱素子は金属塗布層である、請求項１８に記載の電子装置。
【請求項２１】
前記導熱素子は更に、前記複数のアンテナによる無線信号間の電磁妨害を防止する、請求項１８に記載の電子装置。
【考案の詳細な説明】
【技術分野】
【０００１】
本考案は通信モジュールに関し、特に複数の無線通信素子を統合した多機能通信モジュールに関する。
【背景技術】
【０００２】
従来のノートパソコンでは、複数の無線通信素子を本体内のマザーボードに設け、複数のアンテナを表示モジュールの表示スクリーンの側辺に設け、更に伝送ケーブルでこの複数の無線通信素子とアンテナを電気的に接続して両者間に電子信号を伝送するので、複数組の伝送ケーブルを収容するために本体と表示モジュールはより大きな空間を要する。しかし、複数組の伝送ケーブルにより本体と表示モジュールの配線は複雑になるのみならず、伝送ケーブルの両端を、本体に設けられる無線通信装置と表示モジュールに設けられるアンテナにそれぞれ電気的に接続すると、長すぎる伝送ケーブルにより伝送過程において信号損失が大きく、伝送ケーブルの信号と伝送ケーブルが通過した電子素子との間に電磁妨害が発生しやすい。また、無線通信素子はサイズが一定であるため、ノートパソコンの本体を薄型化するとき、無線通信素子のサイズの制約により本体を更に薄型化することができない。なお、隣接したアンテナにより発せられた無線信号は、同じ通信周波数帯域で相互に妨害しやすいので、複数の無線通信素子と複数のアンテナがＣＰＵ（中央処理装置）を使用する時間帯を分割するために、複数のアンテナが無線信号を発信するときに共存（ｃｏ−ｅｘｉｓｔｅｎｃｅ）メカニズムもしくはタイムシェアリングメカニズムを導入しなければならない。しかし、このような設計により複数のアンテナによる無線信号の伝送機能が低下しかねない。のみならず、複数の無線通信素子による発熱はマザーボードの温度を高くし、マザーボードの放熱モジュールの放熱効率を低下させ、マザーボードの機能に影響する。したがって、組み立て簡単で省スペース、よりよい信号伝送効率と放熱機能を兼ね備えた無線通信素子モジュールは、ノートパソコンの機構設計上重要な課題である。
【考案の概要】
【考案が解決しようとする課題】
【０００３】
本考案は前述の問題を解決するために、複数の無線通信素子を統合した多機能通信モジュールを提供することを課題とする。
【課題を解決するための手段】
【０００４】
本考案では、複数の無線通信素子を統合した多機能通信モジュールを開示する。多機能通信モジュールは、基板と、基板に設けられる複数の無線通信素子と、複数の無線通信素子にそれぞれ電気的に接続され、複数の無線通信素子の無線信号を伝送する複数のアンテナと、一側が複数の無線通信素子に接続され、複数の無線通信素子の発熱を放散する導熱素子とを含む。
【０００５】
本考案では更に、多機能通信機能を有する電子装置を開示する。電子装置は、マザーボードを含む本体と、本体に接続され、画像データを表示する表示スクリーンと、表示スクリーン内に設けられる多機能通信モジュールとを含む。多機能通信モジュールは、基板と、基板に設けられる複数の無線通信素子と、複数の無線通信素子にそれぞれ電気的に接続され、複数の無線通信素子の無線信号を伝送する複数のアンテナと、一側が複数の無線通信素子に接続され、複数の無線通信素子の発熱を放散する導熱素子とを含む。
【図面の簡単な説明】
【０００６】
【図１】本考案の好ましい実施例による電子装置を表す説明図である。
【図２】本考案の好ましい実施例による電子装置内に設けられる多機能通信モジュールを表す説明図である。
【図３】本考案の好ましい実施例による多機能通信モジュールの拡大図である。
【図４】本考案の他実施例による多機能通信モジュールを表す説明図である。
【図５】本考案による複数のアンテナによる無線信号の発信を表す説明図である。
【図６】本考案の好ましい実施例による多機能通信モジュールのブロック図である。
【考案を実施するための形態】
【０００７】
図１を参照する。図１は本考案の好ましい実施例による電子装置１０を表す説明図である。電子装置１０は例えばノートパソコンである。電子装置１０は表示スクリーン１２と本体１４を含む。本体１４内にはマザーボード１４１が設けられている。表示スクリーン１２は本体に接続され、画像データを表示する。図２を参照する。図２は本考案の好ましい実施例による電子装置１０内に設けられる多機能通信モジュール２０を表す説明図である。電子装置１０の表示スクリーン１２の構造について先に説明する。図２に示すように、表示スクリーン１２は筐体１２１と表示パネル１２３を含む。表示パネル１２３は筐体１２１の内側に設けられ、画像データを表示する。表示スクリーン１２は更に放熱片１２５を含み、放熱片１２５は筐体１２１と表示パネル１２３の間に設けられ、表示パネル１２３の発熱を放散する。電子装置１０は更に、表示スクリーン１２の内側に設けられる多機能通信モジュール２０を含む。多機能通信モジュール２０は筐体１２１の内側で表示パネル１２３の一側に設けてよい。多機能通信モジュール２０の無線信号伝送効果をよくするために、多機能通信モジュール２０を表示パネル１２３の上側に設けることが一般である。放熱片１２５は良好な導熱性を有する金属材料からなり、表示パネル１２３の発熱を放散するとともに、他電子素子との電磁妨害を防止する効果がある。放熱片１２５は表示パネル１２３の裏に貼付される金属シートか、または表示パネル１２３の外縁に設けられる金属フレームである。
【０００８】
図３を参照する。図３は本考案の好ましい実施例による多機能通信モジュール２０の拡大図である。多機能通信モジュール２０は基板２０１と、基板２０１に設けられる複数の無線通信素子２０３と、複数の無線通信素子２０３にそれぞれ電気的に接続される複数のアンテナ２０５と、導熱素子２０７とを含む。多機能通信モジュール２０は、複数の無線通信素子２０３を統合したモジュールである。複数の無線通信素子２０３はそれぞれ異なった無線通信機能を有する電子素子であり、無線通信機能はＷｉＦｉ、ブルーツース、３Ｇ、ＵＷＢ、ＤＶＢＴ、ＧＰＳ、ＷｉＭＡＸなどの無線通信技術を含む。導熱素子２０７の一側は複数の無線通信素子２０３に接続され、複数の無線津新素子２０３の発熱を放散する。導熱素子２０７の他側は表示スクリーン１２の放熱片１２５に接続され、複数の無線通信素子２０３の発熱を導熱素子２０７を介して放熱片１２５に伝導する。複数の無線通信素子２０３の発熱を効率よく放散するために、導熱素子２０７は良好な導熱性を有する金属材料、例えばアルミニウムホイルまたは金属と塗布層からなる。また、導熱素子２０７は複数のアンテナ２０５による無線信号間の電磁妨害を防止する効果がある。マザーボード１４１と複数の無線通信素子２０３との間で信号を伝送するために、多機能通信モジュール２０は、複数の無線通信素子２０３に電気的に接続されるコネクタ２０９と、一端がコネクタ２０９に接続され、他端が本体１４内のマザーボード１４１に接続され、複数の無線通信素子２０３とマザーボード１４１との間で信号を伝送する接続ケーブル２１１とを含む。接続ケーブル２１１は例えばフラットケーブルであり、表示パネル１２３と筐体１２１の間隙を通過するように設けられ、コネクタ２０９とマザーボード１４１との間に電気的に接続され、複数の無線通信素子２０３とマザーボード１４１との間で信号を伝送する。多機能通信モジュール２０は更に、複数の無線通信素子２０３とコネクタ２０９にそれぞれ電気的に接続され、複数の無線通信素子２０３のオン／オフを制御する複数の制御スイッチ２１３を含む。制御スイッチ２１３は例えば低ドロップアウト電圧レギュレータである。
【０００９】
注意すべきは、導熱素子２０７は単一部材で構成される（図３を参照）ほか、複数の分離した部材を含んでもよい。図４を参照する。図４は本考案の他実施例による多機能通信モジュール２０を表す説明図である。導熱素子２０７が複数の部材を含んだ場合、複数の無線通信素子２０３の発熱を放散するために、複数の導熱素子２０７の一側は対応する複数の無線通信素子２０３にそれぞれ接続され、複数の導熱素子２０７の他側は放熱片１２５に接続されている。本考案による多機能通信モジュール２０は複数の無線通信素子２０３の発熱を効率よく放散するのみならず、複数のアンテナ２０５による無線信号が同じ周波数帯域で相互に妨害するのを防止することができる。図３、図４、及び図５を参照する。図５は本考案による複数のアンテナ２０５による無線信号の発信を表す説明図である。導熱素子２０７の一側は複数の無線通信素子２０３に接続され、換言すれば導熱素子２０７が被覆された複数の無線通信素子２０３と複数のアンテナ２０５は、図５に示すように互い違いに配列されている。各アンテナ２０５による無線信号は両側の導熱素子２０７を通して接地し、隣のアンテナ２０５による無線信号を妨害しない。言い換えれば、導熱素子２０７は隣接した複数のアンテナ２０５の信号分離度を高め、複数のアンテナ２０５が同じ周波数帯域で信号を伝送することによる電磁妨害を軽減できる。
【００１０】
図６を参照する。図６は本考案の好ましい実施例による多機能通信モジュール２０のブロック図である。複数の無線通信素子２０３は対応する制御スイッチ２１３に電気的に接続することでコネクタ２０９にそれぞれ結合される。複数の無線通信素子２０３のオン／オフを制御するために、マザーボード１４１の制御信号は接続ケーブル２１１とコネクタ２０９を通して複数の制御スイッチ２１３に送信され、対応する無線通信素子２０３のオン／オフを制御する。制御スイッチ２１３は対応する無線通信素子２０３とコネクタ２０９の間に選択的に結合することができる。換言すれば無線通信素子２０３をコネクタ２０９に直接に電気的に接続し、制御スイッチ２１３を省略することが可能である。
【００１１】
まとめて言えば、本考案による多機能通信モジュール２０は複数の無線通信素子２０３を基板２０１に設け、接続ケーブル２１１とコネクタ２０９で複数の無線通信素子２０３の配線を統合することで、配線の困難を軽減する。多機能通信モジュール２０の複数の制御スイッチ２１３はそれぞれ対応する無線通信素子２０３のオン／オフを制御し、電力を節減して機能を向上させる。多機能通信モジュール２０の導熱素子２０７は複数の無線通信素子２０３と表示スクリーン１２の放熱片１２５との間に接続されている。導熱素子２０７は複数の無線通信素子２０３の発熱を放散するほか、複数のアンテナ２０５による無線信号間の電磁妨害を防止する効果がある。なお、多機能通信モジュール２０は表示スクリーン１２内に設けられているので、マザーボード１４１に複数の無線通信素子２０３を設けることによる本体１４内の空間不足、放熱効率の低下という問題を解決できる。したがって、複数の無線通信素子２０３は複数のアンテナ２０５を通して無線信号を速やかに発信し、長い配線による信号損失を防止し、マザーボード１４１の他電子素子を通過することで発生する電磁妨害を防止することができる。
【００１２】
従来の技術に比べて、本考案による多機能通信モジュールは表示スクリーン内に設けられるので、マザーボードの発熱を大幅に削減してマザーボードの放熱モジュール（例えばファン）の負担を軽減し、マザーボードの動作効率と安定性を向上させることができる。また、本考案による多機能通信モジュールの接続ケーブルは組み立てやすく、複数の無線通信素子は表示スクリーンの中に設けられているので、複数の無線通信素子と複数のアンテナの間で伝送される信号はマザーボードの他電子素子から電磁妨害を受けない。なお、本考案による多機能通信モジュールの導熱素子は複数の無線通信素子の発熱を効率よく放散するのみならず、隣接したアンテナの信号分離度を向上させ、隣接したアンテナ間の信号妨害を防止することができる。したがって、本考案による多機能通信モジュールの信号伝送速度は、共存メカニズムとタイムシェアリングメカニズムを利用した従来の技術の信号伝送速度より速い。
【００１３】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の特許請求の範囲に属するものとする。
【符号の説明】
【００１４】
１０      電子装置
１２      表示スクリーン
１４      本体
２０      多機能通信モジュール
１２１    筐体
１２３    表示パネル
１２５    放熱片
１４１    マザーボード
２０１    基板
２０３    無線通信素子
２０５    アンテナ
２０７    導熱素子
２０９    コネクタ
２１１    接続ケーブル
２１３    制御スイッチ
【図１】
0003160159.tif 000003
【図２】
0003160159.tif 000004
【図３】
0003160159.tif 000005
【図４】
0003160159.tif 000006
【図５】
0003160159.tif 000007
【図６】
0003160159.tif 000008
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
複数の無線通信素子を統合した多機能通信モジュールであって、
基板と、
前記基板に設けられる複数の無線通信素子と、
前記複数の無線通信素子にそれぞれ電気的に接続され、前記複数の無線通信素子の無線信号を伝送する複数のアンテナと、
一側が前記複数の無線通信素子に接続され、前記複数の無線通信素子の発熱を放散する導熱素子とを含む、多機能通信モジュール。
【請求項２】
前記多機能通信モジュールは更に、
前記複数の無線通信素子に電気的に接続されるコネクタと、
一端が前記コネクタに電気的に接続され、前記複数の無線通信素子の信号を伝送する接続ケーブルとを含む、請求項１に記載の多機能通信モジュール。
【請求項３】
前記多機能通信モジュールは更に、
それぞれ前記複数の無線通信素子と前記コネクタに電気的に接続され、前記複数の無線通信素子のオン／オフを制御する複数の制御スイッチを含む、請求項２に記載の多機能通信モジュール。
【請求項４】
前記制御スイッチは低ドロップアウト電圧レギュレータである、請求項３に記載の多機能通信モジュール。
【請求項５】
前記導熱素子は、前記複数の無線通信素子にそれぞれ接続され、前記複数の無線通信素子の発熱をそれぞれ放散する複数の分離した部材である、請求項１に記載の多機能通信モジュール。
【請求項６】
前記導熱素子は金属材料からなる、請求項１に記載の多機能通信モジュール。
【請求項７】
前記導熱素子はアルミニウムホイルである、請求項６に記載の多機能通信モジュール。
【請求項８】
前記導熱素子は金属塗布層である、請求項６に記載の多機能通信モジュール。
【請求項９】
前記導熱素子は更に、前記複数のアンテナによる無線信号間の電磁妨害を防止する、請求項６に記載の多機能通信モジュール。
【請求項１０】
多機能通信機能を有する電子装置であって、
マザーボードを含む本体と、
前記本体に接続され、画像データを表示する表示スクリーンと、
前記表示スクリーン内に設けられる多機能通信モジュールとを含み、
前記多機能通信モジュールは、
基板と、
前記基板に設けられる複数の無線通信素子と、
前記複数の無線通信素子にそれぞれ電気的に接続され、前記複数の無線通信素子の無線信号を伝送する複数のアンテナと、
一側が前記複数の無線通信素子に接続され、前記複数の無線通信素子の発熱を放散する導熱素子とを含む、電子装置。
【請求項１１】
前記表示スクリーンは、
筐体と、
前記筐体の内側に設けられ、画像データを表示する表示パネルと、
前記筐体と前記表示パネルの間にもうけられ、前記表示パネルの発熱を放散する放熱片とを含む、請求項１０に記載の電子装置。
【請求項１２】
前記放熱片は前記多機能通信モジュールの前記導熱素子の他側に接続され、前記複数の無線通信素子の発熱を前記導熱素子を通して前記放熱片に伝導する、請求項１１に記載の電子装置。
【請求項１３】
前記放熱片は金属材料からなる、請求項１１に記載の電子装置。
【請求項１４】
前記多機能通信モジュールは更に、
前記複数の無線通信素子に電気的に接続されるコネクタと、
一端が前記コネクタに電気的に接続され、他端が前記マザーボードに接続され、前記複数の無線通信素子と前記マザーボードの間で信号を伝送する接続ケーブルとを含む、請求項１０に記載の電子装置。
【請求項１５】
前記多機能通信モジュールは更に、
それぞれ前記複数の無線通信素子と前記コネクタに電気的に接続され、前記複数の無線通信素子のオン／オフを制御する複数の制御スイッチを含む、請求項１４に記載の電子装置。
【請求項１６】
前記制御スイッチは低ドロップアウト電圧レギュレータである、請求項１５に記載の電子装置。
【請求項１７】
前記導熱素子は、前記複数の無線通信素子にそれぞれ接続され、前記複数の無線通信素子の発熱をそれぞれ放散する複数の分離した部材である、請求項１０に記載の電子装置。
【請求項１８】
前記導熱素子は金属材料からなる、請求項１０に記載の電子装置。
【請求項１９】
前記導熱素子はアルミニウムホイルである、請求項１８に記載の電子装置。
【請求項２０】
前記導熱素子は金属塗布層である、請求項１８に記載の電子装置。
【請求項２１】
前記導熱素子は更に、前記複数のアンテナによる無線信号間の電磁妨害を防止する、請求項１８に記載の電子装置。